(57)【要約】【課題】  第１ハウジングが第２ハウジングから外れ難くすること。【解決手段】  第１ハウジング１１の第１保持部１３は電線収容部１５に隣接して形成した第１規制部１７と、該第１規制部１７の外側に形成した第１係止部１９とを有し、第２ハウジングの第２保持部２３は第２電線収容部２５と、前記第１規制部１７と前記第１係止部１９との間に挿入するよう前記第２電線収容部２５に隣接して形成した複数の第２規制部２７と、該第２規制部２７が前記第１規制部１７と前記第１係止部１９との間に位置したときに前記第１係止部１９と係合するよう形成した一対の第２係止部２９とを有する。【選択図】  図２
2007179771.tif 000002
【特許請求の範囲】
【請求項１】
導電性のコンタクトと、該コンタクトを保持する第１ハウジングと、該第１ハウジングに係合する第２ハウジングとを備え、電線と接続するコネクタにおいて、
前記第１及び第２ハウジングは前記電線を保持する電線保持手段を有し、
前記電線保持手段は、第１保持部と、該第１保持部と係合する第２保持部とを有し、
前記第１保持部は少なくとも一つの第１電線収容部と、該第１電線収容部に隣接して形成した複数の第１規制部と、該第１規制部の外側に形成した一対の第１係止部とを有し、
前記第２保持部は少なくとも一つの第２電線収容部と、前記第１規制部と前記第１係止部との間に挿入するよう前記第２電線収容部に隣接して形成した複数の第２規制部と、該第２規制部が前記第１規制部と前記第１係止部との間に位置したときに前記第１係止部と係合するよう形成した一対の第２係止部とを有し、
前記第１保持部と前記第２保持部の内の一方は前記第１及び第２ハウジングの内の一方に形成されており、前記第１保持部と前記第２保持部の内の他方は前記第１及び第２ハウジングの内の他方に形成されていることを特徴とするコネクタ。
【発明の詳細な説明】
【技術分野】
【０００１】
本発明は、第１ハウジングと第２ハウジングとの間に電線を保持するコネクタに関する。
【背景技術】
【０００２】
先行技術としては、コネクタハウジングに係止部を設け、コネクタハウジングの一面側を開閉するカバーに係止部を設け、係止部同士を係止してコネクタハウジングの一面側をカバーで覆うコネクタが知られている。
【０００３】
コネクタは、カバーの係止部の内方にコネクタハウジングの係止部の内側壁に当接するリブを設けている（例えば、特許文献１を参照）。
【０００４】
また、先行技術としては、コネクタハウジングにはカバーの押圧部と対向する位置に電線を収容可能な電線保持溝が凹設され、電線保持溝と押圧部との間で電線を挟圧するコネクタが開示されている（例えば、特許文献２を参照）。
【０００５】
【特許文献１】特開平１１−１８５８６９号公報
【特許文献２】特開平１１−３３９８８２号公報
【発明の開示】
【発明が解決しようとする課題】
【０００６】
特許文献１、２では、カバーをコネクタハウジングに装着して係止する方向とは逆方向に電線を吊り上げる引っ張りによる負荷により、コネクタハウジングからカバーが外れる対策がなされていない。
【０００７】
それ故に、本発明の課題は、第１ハウジングが第２ハウジングから外れ難くすることができるコネクタを提供することにある。
【課題を解決するための手段】
【０００８】
本発明は、導電性のコンタクトと、該コンタクトを保持する第１ハウジングと、該第１ハウジングに係合する第２ハウジングとを備え、電線と接続するコネクタにおいて、前記第１及び第２ハウジングは前記電線を保持する電線保持手段を有し、前記電線保持手段は、第１保持部と、該第１保持部と係合する第２保持部とを有し、前記第１保持部は少なくとも一つの第１電線収容部と、該第１電線収容部に隣接して形成した複数の第１規制部と、該第１規制部の外側に形成した一対の第１係止部とを有し、前記第２保持部は少なくとも一つの第２電線収容部と、前記第１規制部と前記第１係止部との間に挿入するよう前記第２電線収容部に隣接して形成した複数の第２規制部と、該第２規制部が前記第１規制部と前記第１係止部との間に位置したときに前記第１係止部と係合するよう形成した一対の第２係止部とを有し、前記第１保持部と前記第２保持部の内の一方は前記第１及び第２ハウジングの内の一方に形成されており、前記第１保持部と前記第２保持部の内の他方は前記第１及び第２ハウジングの内の他方に形成されていることを特徴とするコネクタであることを最も主要な特徴とする。
【発明の効果】
【０００９】
本発明のコネクタによれば、電線が第１ハウジングの第１保持部の装着方向と逆側へ引っ張られたとき、第１係止部と第２係止部とが外れ易くなるのを第２ハウジング側と第１保持部側に互いに食い込む長さの第１規制部により、第１ハウジングの変形を抑制することで、第１係止部の変形を抑え第１ハウジングが第２ハウジングから外れ難くすることができる。
【００１０】
また、本発明のコネクタによれば、電線を両側から覆うタイプの電線を保持する構造物として、電線に引っ張り荷重を加えたときの構造物の破壊や電線を保持する機能の低下を防ぐことができる。
【発明を実施するための最良の形態】
【００１１】
本発明のコネクタは、導電性のコンタクトと、該コンタクトを保持する第１ハウジングと、該第１ハウジングに係合する第２ハウジングとを備え、電線と接続するコネクタにおいて、前記第１及び第２ハウジングは前記電線を保持する電線保持手段を有し、前記電線保持手段は第１保持部と、該第１保持部と係合する第２保持部とを有し、前記第１保持部は少なくとも一つの第１電線収容部と、該第１電線収容部に隣接して形成した複数の第１規制部と、該第１規制部の外側に形成した一対の第１係止部とを有し、前記第２保持部は少なくとも一つの第２電線収容部と、前記第１規制部と前記第１係止部との間に挿入するよう前記第２電線収容部に隣接して形成した複数の第２規制部と、該第２規制部が前記第１規制部と前記第１係止部との間に位置したときに前記第１係止部と係合するよう形成した一対の第２係止部とを有し、前記第１保持部と前記第２保持部の内の一方は前記第１及び第２ハウジングの内の一方に形成されており、前記第１保持部と前記第２保持部の内の他方は前記第１及び第２ハウジングの内の他方に形成されていることにより実現した。
【実施例１】
【００１２】
以下、図面を参照して、本発明に係るコネクタの実施例１を説明する。図１乃至図４は、コネクタの実施例１を示している。
【００１３】
図１乃至図４を参照して、コネクタは、導電性のコンタクト３と、コンタクト３を保持する第１ハウジング１１と、第１ハウジング１１と係合することによって装着される第２ハウジング２１とを備えている。
【００１４】
第１及び第２ハウジング１１，２１は、電線４１を挟み込むことによって保持する。コンタクト３には電線４１の一方端部が接続される。
【００１５】
第１ハウジング１１は、電線４１を一軸Ｘ方向（図１を参照）に設ける略板形状の第１基部１１ａと、一軸Ｘ方向を直交する第１基部１１ａの一対の辺から第１基部１１ａを直交する一面方向へ延びている一対の第１壁部１１ｂとを有している。
【００１６】
第２ハウジング２１は、略板形状の第２基部２１ａと、第２基部２１ａの一面にコンタクト３を収容するように設けられている嵌合部２１ａとを有している。
【００１７】
さらに、第１及び第２ハウジング１１，１２は、電線４１を保持する電線保持手段とを有している。電線保持手段は、第１ハウジング１１に形成されている第１保持部１３と、第１保持部１３と係合するように第２ハウジング２１に形成されている第２保持部２３とを有している。
【００１８】
第１保持部１３は、電線４１の一方の端部を収容するように一対の壁部１１ｂ間で第１基板１１ａに形成されている２つの第１電線収容部１５と、第１電線収容部１５に隣接して一対の壁部１１ｂの内面にそれぞれ対向している一対の第１規制部１７と、一対の第１規制部１７の外側で一対の第１壁部１１ｂの先端部分に形成されている一対の第１係止部１９とを有している。
【００１９】
第１電線収容部１５は、第１及び第２ハウジング１１，２１を係止した際に、電線４１の外周面の一方側の略半分を覆う形状となっている。一対の第１係止部１９は、互いに対向するように第１壁部１１ｂから内側へ突き出しており、第１基部１１ａに対向している第１係止面１９ａを有している。
【００２０】
第２保持部２３は、電線４１の一方の端部を収容するように第２基板２１ａの内面に形成されている２つの第２電線収容部２５と、第２電線収容部２５に隣接して形成されている一対の第２規制部２７と、一対の第１係止部１９と係合する一対の第２係止部２９とを有している。
【００２１】
第２電線収容部２５は、第１及び第２ハウジング１１，２１を係止した際に、電線４１の外周面の他方側の略半分を覆う形状となっている。一対の第２係止部２９は、第２基部２１ａの一対の側面２１ｂよりも外側へ突き出しており、第１及び第２ハウジング１１，２１を係止した際に第１係止部１９に係止する第２係止面２９ａを有している。第１係止面１９ａと第２係止面２９ａとは、互いに略平行な面となっている。
【００２２】
また、第１ハウジング１１の第１基部１１ａには、第１規制部１７と第１壁部１１ｂとの間に逃げ部（逃げ穴）１１ｄが形成されている。逃げ部１１ｄは、第１規制部１７と第１係止部１９との間に第２規制部２７及び第２係止部２９が入り込み第１係止部１９及び第２係止部２９が係止した際に、第２規制部２７が入り込む部分である。
【００２３】
さらに、第１ハウジング１１の第１基部１１ａには、２つの第１電線収容部１５間から延びている第１突部１１ｆが形成されている。第２ハウジング２１の第２基部２１ａには、２つの第２電線収容部２５間から延びている第２突部２１ｆが形成されている。第１及び第２突部１１ｆ，２１ｆは、第１及び第２ハウジング１１，２１が係止した際に、先端面同士が突き当たる部分である。
【００２４】
図５乃至図７は、コネクタを分解した状態を示している。図５乃至図７をも参照して、コネクタを分解した状態では、第１ハウジング１１と第２ハウジング２１とが分離されている。
【００２５】
第１及び第２ハウジング１１，２１を組み立てるには、第２ハウジング２１の第２電線収容部２５に電線４１の一方側の端部を収容し、電線４１の芯線をコンタクト３に接続する。そして、第２ハウジング２１には、第２電線収容部２５に設けられている電線４１の一方側の端部に対向するように第１ハウジング１１の第１電線収容部１５を対向させて第２ハウジング２１と第１ハウジング１１とを相対的に押圧することにより係止させる。
【００２６】
第２ハウジング２１の第２係止部２７は、第１ハウジング１１の第１規制部１７及び第１係止部１９間に押し込まれと、第２係止部２７によって第１規制部１７及び第１係止部１９が外向きに撓み変形しながら押し込まれる。なお、第１ハウジング１１は、樹脂によって作られており、第１規制部１７及び第１係止部１９が変形可能にかつ変形した状態から自然状態に復元可能なものである。
【００２７】
さらに、第１規制部１７及び第１係止部１９間に第２係止部２７を押し込むと、第２係止部２７が第１規制部１７及び第１係止部１９間に完全に挿入された状態で第１規制部１７及び第１係止部１９が図２に示した自然状態に復元する。このとき、第１係止部１９の第１段部１９ａと第２係止部２９の段部２９ａとは互いに突き当たるとともに第１係止部１９と第２係止部２９とが係止し、第１及び第２電線収容部１５，２５に設けた電線４１が第１及び第２ハウジング１１，２１によって挟まれて保持される。
【００２８】
組み立てた後のコネクタは、嵌合部２１ａを図示しない導電性の相手コネクタの相手嵌合部に嵌合することによって、相手嵌合に設けられている相手コンタクトに接続する。
【００２９】
また、コネクタは、図２及び図４に矢印Ａによって示したように、第２ハウジング２１へ第１ハウジング１１を装着する方向とは逆方向に電線４１を第１ハウジング１１側へ吊り上げるような引っ張り操作があると、第２ハウジング２１と係止している第１ハウジング１１が第２ハウジング２１から外れることが想定される。
【００３０】
しかし、コネクタは、電線４１を第１ハウジング１１側へ引っ張られる荷重が加わった場合には、図８に示すように、第１規制部１７に矢印Ｂによって示したように外向きに力が働き、第１係止部１９には第２係止部２９によって押圧される力が働くので第２規制部２７が内向きに倒れようとする力を抑制することから、第１係止部１９に矢印Ｃで示すように内向きの力が働くので外へ開き難くなる。
【００３１】
さらに、第１ハウジング１１は、第１基部１１ａの中央部分が盛り上がることによって、第１係止部１７が第２係止部２９に入り込み食い込んでいくような変形モードになるので第１ハウジング１１の保持力が向上することから、電線４１の引っ張り荷重による第１ハウジング１１の外れが抑制される。
【００３２】
したがって、第１ハウジング１１の第１係止部１９は、第２ハウジング２１の第２係止部２９を支える区間が長くなるので第２係止部２９の倒れ強度が向上する。
【００３３】
即ち、第１ハウジングの外れは、第２ハウジング２１の第２係止部２９が内側へ倒れることに起因するので、図９に矢印Ｂ′，Ｃ′によって示すように、第１ハウジング１１に第１規制部１７がない場合には、第２ハウジング２１へ第１ハウジング１１を装着する方向とは逆方向に電線４１を第１ハウジング１１側へ吊り上げるような引っ張り荷重が加わると、第２ハウジング２１の第２係止部２９が第１ハウジング１１の内側方向へ倒れてしまうので、一対の第１の係止部１９が開く方向へ変形してしまうので、最終的に第２ハウジング２１と係止している第１ハウジング１１が第２ハウジング２１から外れてしまうことになる。
【００３４】
なお、実施例１では、第１保持部１３が第１ハウジング１１に形成されているコネクタによって説明したが、第２保持部２３を第１ハウジング１１に備え、第２ハウジング２１に第１保持部１３を備えるようにしても、電線４１の引っ張りによる第１ハウジング１１の外れを抑制することができる。
【産業上の利用可能性】
【００３５】
本発明は、カバーとハウジングの間に電線を保持し、カバーをハウジングに係止するコネクタとしての用途にも適用できる。
【図面の簡単な説明】
【００３６】
【図１】本発明に係るコネクタを電線とともに示す側面図である（実施例１）。
【図２】図１に示したコネクタのII-II線断面図である。
【図３】図１に示したコネクタを底面から見た状態の斜視図である。
【図４】図１に示したコネクタを平面から見た状態の斜視図である。
【図５】図１に示したコネクタを分解して示した側面図である。
【図６】図５に示したコネクタの斜視図である。
【図７】図５に示したコネクタのVII-VII線断面図である。
【図８】図２に示したコネクタを用いて電線の引っ張りによる第１及び第２ハウジングの変形状態を説明した説明図である。
【図９】図８に示したコネクタに第１規制部がない場合を説明するための説明図である。
【符号の説明】
【００３７】
３    コンタクト
１１    第１ハウジング
１３    第１保持部
１５    第１電線収容部
１７    第１規制部
１９    第１係止部
２１    第２ハウジング
２３    第２保持部
２５    第２電線収容部
２７    第２規制部
２９    第２係止部
４１    電線
【図１】
2007179771.tif 000003
【図２】
2007179771.tif 000004
【図３】
2007179771.tif 000005
【図４】
2007179771.tif 000006
【図５】
2007179771.tif 000007
【図６】
2007179771.tif 000008
【図７】
2007179771.tif 000009
【図８】
2007179771.tif 000010
【図９】
2007179771.tif 000011